(57)【要約】【課題】現地での問いかけを簡単に行う電子機器を提供すること。【解決手段】電子機器１は、受信した情報を用いて位置測定する位置測定部２６と、所定のメッセージをそれぞれ複数の言語で表したメッセージ情報を格納する記憶部１７と、メッセージ情報に基づいて問いかけを行う問いかけ部１５と、所定の動作を開始させるための操作部材２０が操作されると、動作に関する問いかけメッセージであって、位置測定部２６で測定された位置に基づく言語で表したメッセージ情報を記憶部１７から読み出して問いかけ部１５に問いかけさせる制御部１６と、を備える。【選択図】図１
2014017693.tif 000002
【特許請求の範囲】
【請求項１】
受信した情報を用いて位置測定する位置測定部と、
所定のメッセージをそれぞれ複数の言語で表したメッセージ情報を格納する記憶部と、
前記メッセージ情報に基づいて問いかけを行う問いかけ部と、
所定の動作を開始させるための操作部材が操作されると、前記動作に関する問いかけメッセージであって、前記位置測定部で測定された位置に基づく言語で表したメッセージ情報を前記記憶部から読み出して前記問いかけ部に問いかけさせる制御部と、
を備えることを特徴とする電子機器。
【請求項２】
請求項１に記載の電子機器において、
前記問いかけ部は、表示および音声の少なくとも一方によって前記問いかけを行うことを特徴とする電子機器。
【請求項３】
請求項１または２に記載の電子機器において、
撮像部をさらに備え、
前記所定の動作は、撮影機能の設定、撮影処理、および保守の少なくとも１つを含むことを特徴とする電子機器。
【請求項４】
請求項３に記載の電子機器において、
前記問いかけメッセージは、前記撮影機能を発揮させてよいか否か、撮影の可否、および前記保守に用いる部材の入手可否の少なくとも１つを問いかけることを特徴とする電子機器。
【請求項５】
請求項３または４に記載の電子機器において、
前記撮影機能は、フラッシュ発光および画像表示を含み、
前記撮影処理は、ポートレート撮影またはセルフタイマー撮影を含み、
前記保守は、電池交換を含むことを特徴とする電子機器。
【請求項６】
請求項５に記載の電子機器において、
前記問いかけメッセージは、前記フラッシュ発光の可否、前記画像表示の可否、撮影の受諾の可否、撮影依頼の受諾の可否、および前記電池の入手可否の少なくとも１つを問いかけることを特徴とする電子機器。
【請求項７】
受信した情報を用いて位置測定する位置測定処理と、
所定の動作を開始させるための操作部材で操作を受ける処理と、
所定のメッセージをそれぞれ複数の言語で表したメッセージ情報を格納するメモリから、前記所定の動作に関する問いかけメッセージであって、前記位置測定ユニットで測定された位置に基づく言語で表したメッセージ情報を読み出す処理と、
前記読み出したメッセージ情報に基づいて問いかける問いかけ処理と、
をコンピュータに実行させることを特徴とする問いかけ処理プログラム。
【発明の詳細な説明】
【技術分野】
【０００１】
本発明は、電子機器および問いかけ処理プログラムに関する。
【背景技術】
【０００２】
ＧＰＳにより位置を検出し、検出位置があらかじめ登録されている撮影禁止場所に該当する場合に、警告メッセージを表示したり、撮影処理を禁止したりするカメラが知られている（特許文献１参照）。
【先行技術文献】
【特許文献】
【０００３】
【特許文献１】特開２００３−１９８９１８号公報
【発明の概要】
【発明が解決しようとする課題】
【０００４】
従来技術では、撮影禁止などの情報をあらかじめ登録しておく必要があるため、現地に行かないとわからない場合への適用が困難という問題があった。
【課題を解決するための手段】
【０００５】
本発明による電子機器は、受信した情報を用いて位置測定する位置測定部と、所定のメッセージをそれぞれ複数の言語で表したメッセージ情報を格納する記憶部と、メッセージ情報に基づいて問いかけを行う問いかけ部と、所定の動作を開始させるための操作部材が操作されると、動作に関する問いかけメッセージであって、位置測定部で測定された位置に基づく言語で表したメッセージ情報を記憶部から読み出して問いかけ部に問いかけさせる制御部と、を備えることを特徴とする。
【発明の効果】
【０００６】
本発明による電子機器では、現地の言葉による問いかけを行える。
【図面の簡単な説明】
【０００７】
【図１】本発明の一実施の形態によるデジタルカメラの構成を例示するブロック図である。
【図２】「お尋ねモード」に設定されたＣＰＵが実行する問いかけ処理の流れを説明するフローチャートである。
【図３】撮影処理の流れを説明するフローチャートである。
【図４】コンピュータを例示する図である。
【発明を実施するための形態】
【０００８】
本実施形態は、デジタルカメラに「お尋ねモード」を設けた点に特徴を有する。「お尋ねモード」に設定されたデジタルカメラは、例えば、レリーズボタンの操作に応じて「ここで撮影してもいいですか？」というメッセージを液晶モニタに表示したり、上記メッセージを音声としてスピーカから再生したりすることで、撮影禁止か否かがわからない場所で、カメラから相手へ現地の言葉による問いかけをする。
【０００９】
以下、図面を参照して本発明を実施するための形態について説明する。図１は、本発明の一実施の形態によるデジタルカメラ１の構成を例示するブロック図である。図１において、撮像光学系１１は、撮像素子１２の撮像面１２ａに被写体像を結像させる。ＣＰＵ１６は、自動焦点調節（ＡＦ）指示に応じて公知のＡＦ処理を行い、撮像光学系１１を構成するフォーカシングレンズ（不図示）を光軸方向（図１において矢印方向）に進退移動させる。これにより、撮像光学系１１の焦点位置が自動調節される。フォーカシングレンズ（不図示）の駆動は、ＣＰＵ１６から指示を受けたレンズ駆動部２１が行う。
【００１０】
撮像素子１２は、ＣＭＯＳイメージセンサなどによって構成される。撮像素子１２は、撮像面１２ａ上に結像された被写体像をアナログ撮像信号に光電変換する。撮像素子１２から出力されたアナログ撮像信号は、Ａ／Ｄ変換部１３においてデジタルデータに変換される。画像処理部１４は、デジタルデータに対して所定の画像処理を行って保存用の画像データを生成する。
【００１１】
液晶モニタ１５は、ＣＰＵ１６からの指示に応じて、画像や操作メニュー画面を表示する。液晶モニタ１５の表示面上にはタッチ操作部材１５ａが積層されている。タッチ操作部材１５ａは、ユーザーによってタッチ操作された液晶モニタ１５の表示画面上のタッチ位置を示す信号を発生し、ＣＰＵ１６へ送出する。
【００１２】
不揮発性メモリ１７は、ＣＰＵ１６が実行するプログラムや、実行処理に必要なデータなどを格納する。不揮発性メモリ１７が格納するプログラムやデータの内容は、ＣＰＵ１６からの指示によって追加、変更が可能に構成されている。ＣＰＵ１６は、例えばバッファメモリ１８を作業領域として制御プログラムを実行し、カメラ各部に対する種々の制御を行う。
【００１３】
バッファメモリ１８は、デジタルデータを一時的に記憶する場合にも使用される。本実施形態では、画像処理部１４による画像処理前、画像処理中、画像処理後の画像データなどを、一時的に記憶する。画像処理部１４は、デジタルデータに対する画像処理以外にも、画像データを格納した所定形式の画像ファイル（例えば Exif ファイル）を生成する。記録再生部１９は、ＣＰＵ１６からの指示に基づいて画像ファイルをメモリカード５０に記録し、また、メモリカード５０に記録されている画像ファイルを読み出す。
【００１４】
メモリカード５０は、図示しないカードスロットに着脱自在に取り付けられる記録媒体である。ＣＰＵ１６は、記録再生部１９によってメモリカード５０から読み出された画像ファイルに基づいて、液晶モニタ１５に撮影画像を再生表示させる。
【００１５】
操作部材２０は、シャッターボタン（不図示）の半押し操作に伴ってオンする半押しスイッチ２０ａや、シャッターボタンの全押し操作に伴ってオンする全押しスイッチ２０ｂ、電池室の蓋の開操作を検出するスイッチ２０ｃ、後述するセルフタイマーボタン、フラッシュモードボタン、モードダイヤル、シーンモードダイヤル、液晶モニタ１５の画像表示オン／オフ切り替えスイッチ、上述した「お尋ねモード」の設定／解除スイッチなどを含み、各部材の操作に伴う操作信号をＣＰＵ１６へ送出する。
【００１６】
半押しスイッチ２０ａからのオン信号（半押し操作信号）は、シャッターボタンが通常ストロークの半分程度まで押し下げ操作されると出力され、半ストロークの押し下げ操作解除で出力が解除される。全押しスイッチ２０ｂからのオン信号（全押し操作信号）は、シャッターボタンが通常ストロークまで押し下げ操作されると出力され、通常ストロークの押し下げ操作が解除されると出力が解除される。
【００１７】
レンズ駆動回路２１は、上記フォーカシングレンズ（不図示）を駆動するためのフォーカス調節用モータ（不図示）を駆動する回路を含む。スピーカ駆動回路２２は、ＣＰＵ１６から送出されたデジタル音声データに基づいて、例えば再生音、操作音、音声メッセージなどのアナログ音声再生信号を生成する。スピーカ２３は、音声再生信号に基づいて音声再生を行う。音声処理回路２４は、マイク２５で集音された音声信号を増幅し、増幅後の信号をＡ／Ｄ変換回路（不図示）によってデジタル音声データに変換する。デジタル音声データは、画像ファイルと関連づけてメモリカード５０に記録される。
【００１８】
ＧＰＳ回路２６は、図示しないＧＰＳ衛星からの電波を受信し、電波にのせられている情報を用いてデジタルカメラ１の位置を求める測位（緯度、経度、高度）演算を行う。測位演算で得られた位置情報は、ＣＰＵ１６へ送出される。測位演算は、例えば、電源オンされている間に所定間隔で行う。
【００１９】
フラッシュ装置２７は、撮影時に被写体を照明する撮影補助光（フラッシュ光）を発する。本実施形態では、暗い環境においてフラッシュ光を発光させる自動発光モード、フラッシュ光を強制的に発光させる強制発光モード、およびフラッシュ光を発光させない発光禁止モードのうち、いずれかのフラッシュモードに切り替え可能である。
【００２０】
＜お尋ねモード＞
本実施形態は、上述したデジタルカメラ１に設けられた「お尋ねモード」に特徴を有するので、以降の説明はこの点を中心に行う。図２は、「お尋ねモード」に設定されたＣＰＵ１６が実行する問いかけ処理の流れを説明するフローチャートである。本実施形態のＣＰＵ１６は、操作部材２０を構成する「お尋ねモード」設定／解除スイッチからの操作信号に応じて「お尋ねモード」の設定／解除を切り替える。なお、タッチ操作部材１５ａからのタッチ操作信号に応じて切り替えるようにしてもよい。
【００２１】
ＣＰＵ１６は、「お尋ねモード」に設定されている状態で、後述する撮影準備の起動前に、操作部材２０（またはタッチ操作部材１５ａ）のいずれかが操作された場合に図２の問いかけ処理を起動する。
【００２２】
図２のステップＳ１において、ＣＰＵ１６は、所定の操作が行われたか否かを判定する。ＣＰＵ１６は、例えば、以下の６通りの操作のうちいずれか１つが行われた場合にステップＳ１を肯定判定してステップＳ２へ進み、６通りの操作のいずれも行われない場合には、ステップＳ１を否定判定して図２による操作を終了する。ステップＳ１を否定判定する場合は、問いかけ処理を行わない。
【００２３】
操作１：「ポートレート撮影」モードへ切り替える操作
操作２：フラッシュモードボタンの操作
操作３：レリーズボタン（不図示）の操作
操作４：セルフタイマーボタンの操作
操作５：電池室の蓋を開ける操作
操作６：液晶モニタ１５の画像表示オン操作
【００２４】
「ポートレート撮影」モードは、人物撮影に適した撮影条件を用いる撮影モードをいう。「ポートレート撮影」モードへの切り替えは、例えば、操作部材２０を構成するシーンモードダイヤルの回転操作によって行われる。本実施形態では、シーンモードダイヤルによる「ポートレート撮影」モードへの切り替えを上記所定の操作に含める。
【００２５】
フラッシュモードの切り替え操作は、例えば、操作部材２０を構成するフラッシュモードボタンを押下した上で、モードダイヤルを回転させる操作によって行われる。モードダイヤルの回転に伴い、自動発光モード、強制発光モード、および発光禁止モードを切り替える。本実施形態では、フラッシュモードボタンの押下を上記所定の操作に含める。
【００２６】
「お尋ねモード」に設定されているＣＰＵ１６は、レリーズボタン（不図示）の１回目の半押し操作を上記所定の操作に含める。
【００２７】
セルフタイマー設定操作は、例えば、操作部材２０を構成するセルフタイマーボタンを押下した上で、モードダイヤルを回転させる操作によって行われる。モードダイヤルの回転に伴い、例えば、セルフタイマー撮影を行う場合のタイマー時間１０秒と、タイマー時間２秒と、セルフタイマー撮影を行わないセルフタイマー解除とを切り替える。本実施形態では、セルフタイマーボタンの押下を上記所定の操作に含める。
【００２８】
ＣＰＵ１６は、上記スイッチ２０ｃからの操作信号により電池室の蓋の開操作を検出する。本実施形態では、電池交換の際に行われる電池室の蓋の開操作を上記所定の操作に含める。
【００２９】
ＣＰＵ１６は、液晶モニタ１５の表示オン／オフ切り替えスイッチからの操作信号に応じて、液晶モニタ１５への画像表示のオン／オフを切り替える。本実施形態では、液晶モニタ１５への画像表示がオフしている状態における表示オン／オフ切り替えスイッチの操作を上記所定の操作に含める。なお、画像表示がオフしている状態でも、画面の輝度を抑えてメッセージやアイコンをのみを表示するように構成されている。
【００３０】
図２のステップＳ２において、ＣＰＵ１６は、行われた操作に対応するメッセージを所定の言語で液晶モニタ１５へ表示させてステップＳ３へ進む。上記６通りの操作とメッセージとの関係は以下の通りである。
【００３１】
操作１のメッセージ：「あなたを撮らせてもらえますか？」
操作２のメッセージ：「ここでフラッシュ発光させてもいいですか？」
操作３のメッセージ：「ここで撮影してもいいですか？」
操作４のメッセージ：「私を撮ってもらえますか？」
操作５のメッセージ：「電池を入手できますか？」
操作６のメッセージ：「ここで画像を表示させてもいいですか？」
【００３２】
メッセージの言語は、ＧＰＳ回路２６で得られた位置情報に基づく言語であり、例えば、デジタルカメラ１が使用される国の言語（日本語、英語、中国語、韓国語、フランス語、ドイツ語、ロシア語、スペイン語、イタリア語など）を用いる。国別の言語によるメッセージを表示させるために、メッセージを複数国の言語で表示するためのデータがあらかじめ用意され、不揮発性メモリ１７に格納されている。
【００３３】
ステップＳ３において、ＣＰＵ１６は、ＯＫ操作が行われたか否かを判定する。例えば、液晶モニタ１５が表示するメッセージによって問いかけた相手から肯定的な回答をもらったユーザーは、操作を「続行する」意図で下記のＯＫ操作を行う。一方、メッセージによって問いかけた相手から否定的な回答をもらった場合のユーザーは、操作を「中止」する意図でＯＫ操作をしない。ＣＰＵ１６は、後述するＯＫ操作が行われた場合にステップＳ３を肯定判定してステップＳ４へ進む。ＣＰＵ１６は、ＯＫ操作が操作されない場合は、ステップＳ３を否定判定してステップＳ６へ進む。
【００３４】
上記６通りの操作と、ＯＫ操作との関係は以下の通りである。
操作１に対するＯＫ操作：ステップＳ２のメッセージ表示後、所定時間（例えば１０秒）の間に操作部材２０を構成するＯＫボタン（不図示）が押下される。
操作２に対するＯＫ操作：ステップＳ２のメッセージ表示後、所定時間（例えば１０秒）の間にフラッシュモードボタンが再度押下される。
操作３に対するＯＫ操作：ステップＳ２のメッセージ表示後、所定時間（例えば１０秒）内に２回目の半押し操作がなされる。
操作４に対するＯＫ操作：ステップＳ２のメッセージ表示後、所定時間（例えば１０秒）内にセルフタイマーボタンが再度押下される。
操作５に対するＯＫ操作：ステップＳ２のメッセージ表示後、所定時間（例えば１０秒）内に上記ＯＫボタン（不図示）が押下される。
操作６に対するＯＫ操作：ステップＳ２のメッセージ表示後、所定時間（例えば１０秒）内に表示オン／オフ切り替えスイッチが再度操作される。
【００３５】
ステップＳ４において、ＣＰＵ１６は、メッセージを非表示にしてステップＳ５へ進む。ステップＳ５において、ＣＰＵ１６はステップＳ１で行われた操作に対応する所定の処理を行い、図２による処理を終了する。上記６通りの操作とステップＳ５において実行する処理の関係は以下の通りである。
【００３６】
操作１の処理：ＣＰＵ１６は、「ポートレート撮影」モードへ切り替えてから図２を終了する。
操作２の処理：ＣＰＵ１６は、自動発光モード、または強制発光モードへの切り替えを受け付けてから図２を終了する。
操作３の処理：ＣＰＵ１６は、図２を終了する。
操作４の処理：ＣＰＵ１６は、図２を終了する。その後ユーザーは相手にデジタルカメラ１を渡し、相手からユーザーを撮影してもらう。
操作５の処理：ＣＰＵ１６は、図２を終了する。
操作６の処理：ＣＰＵ１６は、液晶モニタ１５への画像表示をオンさせてから図２を終了する。
【００３７】
上述したステップＳ３を否定判定して進むステップＳ６において、ＣＰＵ１６は、所定時間（例えば３０秒）待ってステップＳ４へ進む。これにより、ＯＫ操作が行われない場合は、ステップＳ２のメッセージ表示を継続した後、メッセージを非表示にする。
【００３８】
＜撮影モード＞
ＣＰＵ１６が実行する撮影処理の流れについて、図３に例示するフローチャートを参照して説明する。ＣＰＵ１６は、撮影モードにおいて図３による撮影処理を起動させる。ＣＰＵ１６は、ステップＳ１１において、お尋ねモードか否かを判定する、ＣＰＵ１６は、「お尋ねモード」に設定されている場合にステップＳ１１を肯定判定してステップＳ１２へ進む。ＣＰＵ１６は、「お尋ねモード」に設定されていない場合には、ステップＳ１１を否定判定してステップＳ１３へ進む。
【００３９】
ステップＳ１２において、ＣＰＵ１６は、上述した問いかけ処理を行ってステップＳ１３へ進む。ＣＰＵ１６は、ステップＳ１３においてレリーズボタン（不図示）が半押し操作されたか否かを判定する。ＣＰＵ１６は、半押しスイッチ２０ａからの操作信号が入力された場合にステップＳ１３を肯定判定してステップＳ１４へ進み、撮影準備を開始する。ＣＰＵ１６は、半押しスイッチ２０ａからの操作信号が入力されない場合には、ステップＳ１３を否定判定してステップＳ１８へ進む。
【００４０】
ステップＳ１４において、ＣＰＵ１６は、自動露出演算（ＡＥ）および自動焦点調節（ＡＦ）を行い、ステップＳ１５へ進む。ステップＳ１５において、ＣＰＵ１６は、レリーズボタン（不図示）が全押し操作されたか否かを判定する。ＣＰＵ１６は、全押しスイッチ２０ｂからの操作信号が入力された場合にステップＳ１５を肯定判定してステップＳ１６へ進み、全押しスイッチ２０ｂからの操作信号が入力されない場合には、ステップＳ１５を否定判定して全押し操作を待つ。
【００４１】
ステップＳ１６において、ＣＰＵ１６は撮影処理を行う。具体的には、撮像素子１２に被写体像を撮像させ、撮影画像のファイルを生成してステップＳ１７へ進む。ステップＳ１７において、ＣＰＵ１６は記録再生部１９へ指示を送り、生成した画像ファイルをメモリカード５０に記憶させてステップＳ１８へ進む。
【００４２】
ステップＳ１８において、ＣＰＵ１６は、終了操作が行われたか否かを判定する。ＣＰＵ１６は、例えば、操作部材２０から電源オフ操作信号が入力された場合や、再生モードへ切り替える操作信号が入力された場合には、ステップＳ１８を肯定判定し、図３による処理を終了する。ＣＰＵ１６は、操作部材２０からの電源オフ操作信号も、再生モードへ切り替える操作信号も入力されない場合には、ステップＳ１８を否定判定してステップＳ１１へ戻る。
【００４３】
以上説明した実施形態によれば、次の作用効果が得られる。
（１）デジタルカメラ１は、受信した情報を用いて位置測定するＧＰＳ回路２６と、所定のメッセージをそれぞれ複数の言語で表したメッセージ情報を格納する不揮発性メモリ１７と、メッセージ情報に基づいて問いかけ（表示）を行う液晶モニタ１５と、所定の動作を開始させるための操作部材２０が操作されると、動作に関する問いかけメッセージであって、ＧＰＳ回路２６で測定された位置に基づく言語で表したメッセージ情報を不揮発性メモリ１７から読み出して液晶モニタ１５に問いかけ（表示）させるＣＰＵ１６と、を備えるようにした。これにより、例えば、「ポートレート撮影」モードへ切り替える操作をした場合に、「あなたを撮らせてもらえますか？」と撮影の受諾の可否を問いかけるメッセージを現地の言語で表示するので、現地での問いかけを簡単に行える。
【００４４】
（２）上記（１）のデジタルカメラ１において、液晶モニタ１５は、表示によって問いかけを行うので、静寂環境において視覚的に問いかけを行える。
【００４５】
（３）上記（１）または（２）のデジタルカメラ１において、撮像素子１２をさらに備え、所定の動作は、撮影機能の設定、撮影処理、および保守の少なくとも１つを含むようにしたので、撮影機能の設定動作の開始タイミング、撮影動作の開始タイミング、保守動作の開始タイミングで、それぞれの動作に関する問いかけを行える。
【００４６】
（４）上記（３）のデジタルカメラ１において、問いかけメッセージは、撮影機能を発揮させてよいか否か、撮影の可否、および保守に用いる部材の入手可否の少なくとも１つを問いかけるようにしたので、現地へ出かける前にあらかじめ知ることが困難な些細な事項について、撮影機能の設定動作の開始タイミング、撮影動作の開始タイミング、または保守動作の開始タイミングで問いかけを行える。
【００４７】
（５）上記（３）または（４）のデジタルカメラ１において、撮影機能は、フラッシュ発光および画像表示を含み、撮影処理は、ポートレート撮影またはセルフタイマー撮影を含み、保守は、電池交換を含むようにしたので、あらかじめ知ることが困難な些細な事項について、撮影機能の設定動作の開始タイミング、撮影動作の開始タイミング、または保守動作の開始タイミングで問いかけを行える。
【００４８】
（６）上記（５）のデジタルカメラ１において、問いかけメッセージは、フラッシュ発光の可否、画像表示の可否、撮影の受諾の可否、撮影依頼の受諾の可否、および電池の入手可否の少なくとも１つを問いかけるようにしたので、あらかじめ知ることが困難な些細な事項について、撮影機能の設定動作の開始タイミング、撮影動作の開始タイミング、または保守動作の開始タイミングで問いかけを行える。
【００４９】
（変形例１）
上述した説明では、メッセージの言語を国別の言語とする例を説明したが、同一国内であっても地域別に異なる言語でメッセージ表示させてもよい。この場合は、地域別の言語で表示するためのデータをあらかじめ用意し、不揮発性メモリ１７に格納しておく。
【００５０】
（変形例２）
メッセージを液晶モニタ１５に表示させる代わりに、またはメッセージ表示に加えて、スピーカ２３からメッセージを音声再生させてもよい。音声メッセージの言語は、表示するメッセージと同様に、ＧＰＳ回路２６で得られた位置情報に基づく言語を選ぶ。音声再生するためのデータについても、あらかじめ用意して不揮発性メモリ１７に格納しておく。
【００５１】
（変形例３）
メッセージを視覚的に表示、または音声再生する問いかけ処理を起動させる操作は、上述した６通りの操作に限らず、適宜設定して構わない。
【００５２】
（変形例４）
以上の説明では、電子機器としてデジタルカメラ１を用いる例を説明したが、デジタルカメラ１の代わりに多機能携帯電話機やタブレット型コンピュータを用いて構成してもよい。この場合、問いかけ処理を起動させる操作として、ダイヤル操作や、録音操作を用いることができる。ダイヤル操作に対応付けるメッセージは、例えば「ここで電話をかけてもいいですか？」とし、そのＯＫ操作は、メッセージ表示後、所定時間（例えば１０秒）内に行われる再度のダイヤル操作とする。また、録音操作に対応付けるメッセージは、例えば「録音してもいいですか？」とし、そのＯＫ操作は、メッセージ表示後、所定時間（例えば１０秒）内に行われる再度の録音操作とする。
【００５３】
（変形例５）
上述した実施形態では、問いかけ処理を行うプログラムをデジタルカメラ１の不揮発性メモリ１７にあらかじめ格納しておく例を説明したが、後からデジタルカメラ１へプログラムを供給してもよい。例えば、図４に示すコンピュータ装置２００に一旦プログラムを保存し、コンピュータ装置２００からデジタルカメラ１へプログラムを転送する他、通信回線２０１を経由して直接デジタルカメラ１へプログラムを供給してもよい。
【００５４】
パーソナルコンピュータ２００に対するプログラムのローディングは、プログラムを格納したＣＤ−ＲＯＭなどの記憶媒体２０４をパーソナルコンピュータ２００にセットして行ってもよいし、ネットワークなどの通信回線２０１を経由する方法でパーソナルコンピュータ２００へローディングしてもよい。通信回線２０１を経由する場合は、通信回線２０１に接続されたサーバー（コンピュータ）２０２のハードディスク装置２０３などにプログラムを格納しておく。プログラムは、記憶媒体２０４や通信回線２０１を介する提供など、種々の形態のコンピュータプログラム製品として供給することができる。
【００５５】
以上の説明はあくまで一例であり、上記の実施形態の構成に何ら限定されるものではない。
【符号の説明】
【００５６】
１…デジタルカメラ
１２…撮像素子
１５…液晶モニタ
１５ａ…タッチ操作部材
１６…ＣＰＵ
１７…不揮発性メモリ
１８…バッファメモリ
２０…操作部材
２３…スピーカ
２６…ＧＰＳ回路
２７…フラッシュ装置
【図１】
2014017693.tif 000003
【図２】
2014017693.tif 000004
【図３】
2014017693.tif 000005
【図４】
2014017693.tif 000006